(57)【要約】【課題】病院や学校、飲食店等で手洗いをする者が、除菌に必要な手洗い時間を知らなくとも、その手洗い時間を簡単な操作で確実に設定して速やかに手洗いを開始することができる手洗い専用のタイマー装置を提供する。【解決手段】手洗いの条件に応じて異なる複数の手洗い時間を記憶し、電源がオンされたときにその記憶した手洗い時間の一つを減算タイマー３に設定すると同時に該タイマー３による設定時間のカウントダウンを開始させる制御装置１と、該制御装置１が減算タイマー３に設定する手洗い時間を切り替える設定時間切替スイッチ４とを備えている。【選択図】図３
0003130316.tif 000002
【実用新案登録請求の範囲】
【請求項１】
手洗い時間を計測するために用いる手洗い用タイマー装置であって、手洗いの条件に応じて異なる複数の手洗い時間を記憶し、電源がオンされたときにその記憶した手洗い時間の一つを減算タイマーに設定すると同時に該タイマーによる設定時間のカウントダウンを開始させる制御装置と、該制御装置が減算タイマーに設定する手洗い時間を切り替える設定時間切替スイッチとを備えていることを特徴とする手洗い用タイマー装置。
【請求項２】
前記制御装置が、水と石鹸による手洗い時間３０秒と、消毒用アルコールによる手洗い時間６０秒とを記憶し、該制御装置が減算タイマーに設定する手洗い時間が、前記設定時間切替スイッチの切替操作によって３０秒と６０秒とに切り替えられる請求項１記載の手洗い用タイマー装置。
【請求項３】
前記制御装置と減算タイマーが収容された外殻ケースの正面側に、電源をオンするスイッチと、減算タイマーの計時を表示する液晶パネルとが配設され、その外殻ケースの背面側に、前記設定時間切替スイッチが配設されている請求項１又は２記載の手洗い用タイマー装置。
【請求項４】
前記ケースの背面側に、設置用の永久磁石と吊りリングが併設されている請求項３記載の手洗い用タイマー装置。
【考案の詳細な説明】
【技術分野】
【０００１】
本考案は、手に付着した細菌やウィルス等の除菌に必要な手洗い時間を計測するために用いる手洗い用のタイマー装置に関する。
【背景技術】
【０００２】
昨今は、ＭＲＳＡ（メチシリン耐性黄色ブドウ球菌）による院内感染や、ノロウィルスによる感染性胃腸炎、食中毒等が多発していることから、それら感染症の予防対策として除菌のための手洗いを励行することが求められている。手洗いによる除菌効果は、手洗い時間に依存し、水と石鹸による手洗いの場合は、１５秒で付着細菌数が約１０分の１に減少し、３０秒では約１００分の１にまで減少するとされているので、厚生省生活衛生局の「正しい手洗いマニュアル」には、水で手を濡らして石鹸をつけ、手指の間や指先等を３０秒程度かけてよく洗うべき旨が記載されている。なお、除菌のための手洗いは、水と石鹸によるものに限らず消毒用アルコール（エタノール）や消毒用薬液等によるものもあり、例えば消毒用アルコールによる手洗い時間は６０秒程度が望ましいとされている。
【０００３】
しかし、某病院が集中治療室における医療スタッフの水と石鹸による手洗い時間を調査した結果では、１０秒未満が５．９％、１０秒以上２０秒未満が４６．７％、２０秒以上３０秒未満が３８．６％、３０秒以上が８．９％であったという報告がなされており、感染症が予防できるとされる３０秒程度の手洗いを励行する者の割合は極めて少ない。その一方、同病院の調査結果として、手洗いの様子を観察する観察者がいる場合は、手洗いの行動が一変し、観察者がいないときよりも手洗い時間が総体的に長くなってＭＲＳＡの発生率が低下したという報告もなされている。
【０００４】
このことから、病院や飲食店等の手洗い場所にタイマー装置を設置して、除菌に必要な手洗い時間を自ら計測させるようにすれば、手洗い時間が短くなり過ぎることを防止できるものと思われるが、従来一般のタイマー装置は、まず、タイマーの計時を表示する液晶パネルを見ながら時間設定キーを操作して任意の計測時間を設定し、次に、スタートキーを押して設定時間のカウントダウンを開始させる構成となっているため、そのキー操作に手間取って手洗いを速やかに行えないおそれがあり、多数の人が頻繁に手洗いする病院や学校、給食調理施設、飲食店等で使用するには非常に不便である。また、タイマー装置を使用する者が、水と石鹸による場合は３０秒、消毒用アルコールによる場合は６０秒というような手洗いの条件に応じた手洗い時間を知らなかったり、失念した場合は、その手洗い時間を設定することができないという問題がある。
【０００５】
なお、公知のタイマー装置には、計測時間の設定操作を簡略化するために、その計測時間を３０秒単位、１分単位、１０分単位で設定することができる三つの時間設定キーを設けたものや（特許文献１参照）、カップ麺の出来上がり時間が３分〜５分に限られていることから、各々３分、４分、５分の時間を設定することができる三種類の時間設定キーを設けたものもある（特許文献２）。これらのタイマー装置は、上記一般のものと比べて計測時間を設定する時間設定キーの操作が容易であるが、その時間設定キーを操作した後に、スタートキーを押して設定時間のカウントダウンを開始させるキー操作を行わなければならない点では従来一般のものと同様である。また、時間設定キーが複数設けられているので、キーの押し間違えにより計測時間の設定を誤るおそれがある。
【特許文献１】実用新案登録第３０８１０７２号公報
【特許文献２】実用新案登録第３０９０７１９号公報
【考案の開示】
【考案が解決しようとする課題】
【０００６】
本考案は、病院や学校、飲食店等で除菌のための手洗いをする者が、除菌に必要な手洗い時間を知らなくとも、その手洗い時間を簡単な操作で確実に設定して速やかに手洗いを開始することができる手洗い専用のタイマー装置を提供することを技術的課題としている。
【課題を解決するための手段】
【０００７】
上記の課題を解決するために、本考案は、手洗い時間を計測するために用いる手洗い用タイマー装置であって、手洗いの条件に応じて異なる複数の手洗い時間を記憶し、電源がオンされたときにその記憶した手洗い時間の一つを減算タイマーに設定すると同時に該タイマーによる設定時間のカウントダウンを開始させる制御装置と、該制御装置が減算タイマーに設定する手洗い時間を切り替える設定時間切替スイッチとを備えていることを特徴とする。
【考案の効果】
【０００８】
本考案によるタイマー装置は、これを手洗い場所に設置する者が、予め設定時間切替スイッチを操作して、制御装置が減算タイマーに設定する手洗い時間を手洗い条件に応じた手洗い時間に切り替えておけば、以後は、電源をオンするだけの極めて簡単な操作により、手洗いの条件に応じた手洗い時間が自動的に設定されると同時に、その設定時間のカウントダウンが開始されるので、タイマー装置の誤操作を生ずるおそれもなく、除菌のための手洗いを迅速かつ確実に行うことができる。
【考案を実施するための最良の形態】
【０００９】
本考案によるタイマー装置の最良の実施形態は、水と石鹸による手洗い時間３０秒や、消毒用アルコールによる手洗い時間６０秒等のように手洗いの条件に応じて異なる複数の手洗い時間を記憶して、電源がオンされたときにその記憶した手洗い時間の一つを減算タイマーに設定すると同時に該タイマーによる設定時間のカウントダウンを開始させる制御装置と、該制御装置が減算タイマーに設定する手洗い時間を切り替える設定時間切替スイッチとを備えている。
【００１０】
制御装置は、記憶装置と演算装置を有するマイクロコンピュータで成り、その記憶装置に水と石鹸による手洗い時間３０秒と、消毒用アルコールによる手洗い時間６０秒とを記憶し、該制御装置が減算タイマーに設定する手洗い時間が、設定時間切替スイッチの切替操作によって３０秒と６０秒とに切り替えられるようになっている。
【００１１】
制御装置と減算タイマーは、プラスチックもしくは金属で成形された外殻ケース内に収容され、該ケースの正面側には、タイマー装置の電源をオンするスイッチと、減算タイマーの計時を表示する液晶パネルとが配設されると共に、その正面全体に防滴用の透明プラスチックフィルムが貼付され、外殻ケースの背面側には、設定時間切替スイッチが配設されると共に、タイマー装置を手洗い場所に設置するための永久磁石と吊りリングが併設されている。
【実施例】
【００１２】
図１は本考案に係る手洗い用タイマー装置の一例を示す正面図、図２はその背面図、図３はその概略的な構成を示すブロック図である。
【００１３】
図中１は、記憶装置と演算装置を有したマイクロコンピュータで成る制御装置であって、該制御装置１は、水と石鹸による手洗い時間３０秒と、消毒用アルコールによる手洗い時間６０秒とを予め記憶装置に記憶して、タイマー装置の電源を投入するＯＮスイッチ２がオンされたときに、その記憶装置に記憶した手洗い時間３０秒又は６０秒の何れか一方を読み出して減算タイマー３に設定すると同時に該タイマー３による設定時間のカウントダウンを開始させるようになっている。なお、制御装置１が記憶装置から読み出して減算タイマー３に設定する手洗い時間は、設定時間切替スイッチ４の切替操作によって３０秒と６０秒とに切り替えられるようになっている。
【００１４】
制御装置１と減算タイマー３は、プラスチックもしくは金属で成形された円盤型の外殻ケース５内に収容されており、該ケース５の正面側には、減算タイマー３の計時をデジタル表示する液晶パネル６と、タイマー装置の電源をオンするＯＮスイッチ２と、その電源をオフするＯＦＦスイッチ７と、減算タイマーの作動状況を報せるＬＥＤで成るインジケータランプ８とが配設され、外殻ケース５の背面側には、電源の乾電池を収納する電池ケース９と、２接点切替のスライドスイッチで成る設定時間切替スイッチ４と、タイマー装置を手洗い場所に設置するための永久磁石１０と吊りリング１１とが併設されている。
【００１５】
なお、外殻ケース５内には、減算タイマー３のタイムアップを電子音によって報せる電子音発生器１２が設けられている。また、濡れた手で操作されるスイッチ２及び７が設けられた外殻ケース５の正面側には、それらスイッチ２及び７や液晶パネル６を水滴から保護する透明な防滴フィルムが貼付されている。
【００１６】
しかして、本例のタイマー装置は、これを水と石鹸によって手洗いする場所に設置する場合は、予め設定時間切替スイッチ４のポジションを制御装置１が減算タイマー３に手洗い時間３０秒を設定するポジションに切り替えておき、また、消毒用アルコールによって手洗いする場所に設置する場合は、制御装置１が減算タイマー３に手洗い時間６０秒を設定するポジションに切り替えておく。
【００１７】
これにより、水と石鹸によって手洗いする場所に設置したタイマー装置は、その外殻ケース５の正面側に設けられたＯＮスイッチを指先で押して電源をオンする簡単な操作を行うだけで、制御装置１が、水と石鹸による手洗い時間３０秒を減算タイマー３に設定すると同時にその設定時間を液晶パネル６に表示して減算タイマー３による設定時間のカウントダウンを開始させる。したがって、手洗い時間の設定に手間取ったり、誤操作をすることもなく、速やかに手洗いを開始することができる。
【００１８】
そして、制御装置１は、減算タイマー３のタイムアップ５秒前にインジケータランプ８を点滅させる制御信号を出力して、手洗いの終了を予告し、カウントダウンが終了したときに電子音発生器１２から手洗いの終了を告知する音声を生じさせる制御信号を出力して、水道水等を無駄に消費しないように促すと共に、ＯＦＦスイッチ７を押してタイマー装置の電源を切るように促す。
【００１９】
なお、インジケータランプ８は、３０秒間の手洗いを促すために、減算タイマー３のカウントダウンが開始された時からタイムアップまでの３０秒間点灯させるものであってもよい。また、ＯＦＦスイッチ７は、タイムアップした減算タイマー３をリセットしてタイマー装置の電源をオフするスイッチであるが、該スイッチに代えて、減算タイマー３がタイムアップして一定時間経過したときに制御装置１から出力される制御信号により減算カウンター３をリセットして自動的に電源をオフするスイッチ回路を設ければ、外殻ケース５の正面側に設けるスイッチをＯＮスイッチ２のみとすることができ、タイマー装置の操作が著しく簡略化されるので、操作に戸惑ったり、誤操作するおそれが全くない。
【００２０】
以上のように、本例のタイマー装置は、外殻ケース５の正面側に設けられたＯＮスイッチを押すだけの極めて簡単な操作により、手洗いの条件に応じた手洗い時間３０秒又は６０秒が設定されると同時に、その設定時間のカウントダウンが開始されるので、手洗いをする者は、手洗い時間の設定に手間取ったり、誤操作をすることもなく、速やかに手洗いを開始することができる。また、手洗い時間を３０秒と６０秒とに切り替える設定時間切替スイッチ４は、外殻ケース５の背面側に配設されているので、手洗いをする者が誤って該スイッチ４の切替操作を行うおそれも少ない。また、外殻ケース５の背面側には、永久磁石１０と吊りリング１１が併設されているので、どのような手洗い場所にもタイマー装置を設置することができる。したがって、病院や学校、給食調理施設、飲食店等で使用する手洗い用タイマーとして非常に有用性が高い。
【００２１】
なお、制御装置１が減算タイマー３に設定する水と石鹸による手洗い時間と消毒用アルコールによる手洗い時間は、各々３０秒と６０秒に限定されるものではなく、それよりも長い時間であってもよい。また、制御装置１が減算タイマー３に設定可能な手洗い時間は、水と石鹸による手洗い時間と消毒用アルコールによる手洗い時間に限らず、その他消毒用薬液による手洗い時間であってもよい。
【産業上の利用可能性】
【００２２】
本考案は、ＭＲＳＡやノロウィルス等による感染症を予防するための手洗いを励行させる手洗い用のタイマー装置として有用性の高いものである。
【図面の簡単な説明】
【００２３】
【図１】本考案に係るタイマー装置の一例を示す正面図
【図２】図１に示すタイマー装置の背面図
【図３】本考案に係るタイマー装置の概略的な構成を示すブロック図
【符号の説明】
【００２４】
１  制御装置
２  ＯＮスイッチ
３  減算タイマー
４  設定時間切替スイッチ
５  外殻ケース
６  液晶パネル
７  ＯＦＦスイッチ
８  インジケータランプ
９  電池ケース
１０  永久磁石
１１  吊りリング
１２  電子音発生器
【図３】
0003130316.tif 000003
【図１】
0003130316.tif 000004
【図２】
0003130316.tif 000005